【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
キャリアアグリゲーションを使用したワイヤレス通信ネットワーク中の２次コンポーネントキャリアダウンリンク（ＤＬ）を制御するための方法であって、
モバイルエンティティによって、キャリアアグリゲーション対応接続の２次コンポーネントキャリア上での基地局から前記モバイルエンティティへのデータ送信に関する前記モバイルエンティティにおけるリソース制約を示すイベントを検出することと、
前記イベントを検出したことに応答して、前記２次コンポーネントキャリアＤＬの状態を前記基地局にシグナリングすることによって、前記データ送信を制御することとを備える、方法。
【請求項２】
前記リソース制約が、ＣＰＵプロセッシング制約、受信チェーン制約、バス帯域幅制約、電力制約、または動作温度制約からなる群から選択される、請求項１に記載の方法。
【請求項３】
前記状態をシグナリングすることが、前記データ送信におけるエラーを報告するために必要な否定応答（ＮＡＣＫ）の数を超えるより多数のＮＡＣＫを前記データ送信についてシグナリングすることを備える、請求項１に記載の方法。
【請求項４】
前記状態をシグナリングすることが、前記データ送信においてＡＣＫ／ＮＡＣＫ応答を要求する信号を受信したにもかかわらず、前記データ送信に対する確認応答（ＡＣＫ）または否定応答（ＮＡＣＫ）をシグナリングしないことを備える、請求項１または３に記載の方法。
【請求項５】
前記状態をシグナリングすることが、前記データ送信について前記モバイルエンティティにより測定されるものより低いチャネル品質を示す、前記データ送信に対するチャネル品質インジケータをシグナリングすることを備える、請求項１に記載の方法。
【請求項６】
前記チャネル品質インジケータが０に設定される、請求項５に記載の方法。
【請求項７】
前記状態をシグナリングすることが、チャネル測定モジュールのデータ送信アップストリームの品質を劣化させることを備える、請求項１に記載の方法。
【請求項８】
前記状態をシグナリングすることが、前記モバイルエンティティによって前記基地局に提供されるイベントトリガされた測定結果を劣化させることを備える、請求項１または７に記載の方法。
【請求項９】
前記状態をシグナリングすることが、前記モバイルエンティティのＭＩＭＯ能力未満のＭＩＭＯ能力を示すことを備える、請求項１に記載の方法。
【請求項１０】
前記イベントがページングメッセージを受信することを備え、前記方法が、前記２次コンポーネントキャリア上でのキャリアアグリゲーションの無効化を要求することによって、着信する呼のためのリソースを解放することをさらに備える、請求項１に記載の方法。
【請求項１１】
前記イベントが外部への呼を行うための要求を示す入力を受信することを備え、前記方法が、前記２次コンポーネントキャリア上でのキャリアアグリゲーションを無効にすることによって、前記外部への呼のためのリソースを解放することをさらに備える、請求項１または１０に記載の方法。
【請求項１２】
前記データ送信のデータレートを監視することをさらに備え、前記イベントが、定義された範囲または設定点の外側のデータレートを、前記監視によって観測することを備える、請求項１に記載の方法。
【請求項１３】
前記データ送信を制御することが、前記定義された範囲または設定点の範囲内に前記データレートを維持することを備える、請求項１２に記載の方法。
【請求項１４】
前記着信する呼は、音声呼である、請求項１０に記載の方法。
【請求項１５】
前記外部への呼は、音声呼である、請求項１１に記載の方法。
【請求項１６】
キャリアアグリゲーションを使用したワイヤレス通信ネットワーク中の２次コンポーネントキャリアダウンリンク（ＤＬ）を制御するための装置であって、
請求項１乃至１５のうちのいずれか一項に記載のステップを実行するように構成された少なくとも１つのプロセッサを備える、装置。
【請求項１７】
実行されると、少なくとも１つのコンピュータに、請求項１乃至１５のいずれか一項に従う方法を実行させる実行可能な命令を備える、コンピュータプログラム。
【手続補正２】
【補正対象書類名】明細書
【補正対象項目名】００８９
【補正方法】変更
【補正の内容】
【００８９】
[00104]本開示の前述の説明は、いかなる当業者でも本開示を作成または使用することができるように提供される。本開示への様々な修正は当業者には容易に明らかであり、本明細書で定義された一般原理は、本開示の趣旨または範囲から逸脱することなく他の変形形態に適用され得る。したがって、本開示は、本明細書で説明される例および設計に限定されるものではなく、本明細書で開示される原理および新規の特徴に合致する最も広い範囲を与えられるべきである。
以下に、本願出願の当初の特許請求の範囲に記載された発明を付記する。
［Ｃ１］  キャリアアグリゲーションを使用したワイヤレス通信ネットワーク中の２次コンポーネントキャリアダウンリンク（ＤＬ）を制御するための方法であって、
モバイルエンティティによって、キャリアアグリゲーション対応接続の２次コンポーネントキャリア上での基地局から前記モバイルエンティティへのデータ送信に関する前記モバイルエンティティにおけるリソース制約を示すイベントを検出することと、
前記イベントを検出したことに応答して、前記２次コンポーネントキャリアＤＬの状態を前記基地局にシグナリングすることによって、前記データ送信を制御することとを備える、方法。
［Ｃ２］  前記リソース制約が、ＣＰＵプロセッシング制約、受信チェーン制約、バス帯域幅制約、電力制約、または動作温度制約からなる群から選択される、Ｃ１に記載の方法。
［Ｃ３］  前記状態をシグナリングすることが、前記データ送信におけるエラーを報告するために必要な否定応答（ＮＡＣＫ）の数を超えるより多数のＮＡＣＫを前記データ送信についてシグナリングすることを備える、Ｃ１に記載の方法。
［Ｃ４］  前記状態をシグナリングすることが、前記データ送信においてＡＣＫ／ＮＡＣＫ応答を要求する信号を受信したにもかかわらず、前記データ送信に対する確認応答（ＡＣＫ）または否定応答（ＮＡＣＫ）をシグナリングしないことを備える、Ｃ１に記載の方法。
［Ｃ５］  前記状態をシグナリングすることが、前記データ送信について前記モバイルエンティティにより測定されるものより低いチャネル品質を示す、前記データ送信に対するチャネル品質インジケータをシグナリングすることを備える、Ｃ１に記載の方法。
［Ｃ６］  前記チャネル品質インジケータが０に設定される、Ｃ５に記載の方法。
［Ｃ７］  前記状態をシグナリングすることが、チャネル測定モジュールのデータ送信アップストリームの品質を劣化させることを備える、Ｃ１に記載の方法。
［Ｃ８］  前記状態をシグナリングすることが、前記モバイルエンティティによって前記基地局に提供されるイベントトリガされた測定結果を劣化させることを備える、Ｃ１に記載の方法。
［Ｃ９］  前記状態をシグナリングすることが、前記モバイルエンティティのＭＩＭＯ能力未満のＭＩＭＯ能力を示すことを備える、Ｃ１に記載の方法。
［Ｃ１０］  プリコーディングマトリックスインジケータ（ＰＭＩ）またはランクインジケータ（ＲＩ）の少なくとも１つによって前記能力を示すことをさらに備える、Ｃ９に記載の方法。
［Ｃ１１］  前記イベントがページングメッセージを受信することを備え、前記方法が、前記２次コンポーネントキャリア上でのキャリアアグリゲーションの無効化を要求することによって、着信する呼のためのリソースを解放することをさらに備える、Ｃ１に記載の方法。
［Ｃ１２］  前記イベントが外部への呼を行うための要求を示す入力を受信することを備え、前記方法が、前記２次コンポーネントキャリア上でのキャリアアグリゲーションを無効にすることによって、前記外部への呼のためのリソースを解放することをさらに備える、Ｃ１に記載の方法。
［Ｃ１３］  前記データ送信のデータレートを監視することをさらに備える、Ｃ１に記載の方法。
［Ｃ１４］  前記イベントが、定義された範囲または設定点の外側のデータレートを、前記監視によって観測することを備える、Ｃ１３に記載の方法。
［Ｃ１５］  前記データ送信を制御することが、前記定義された範囲または設定点の範囲内に前記データレートを維持することを備える、Ｃ１４に記載の方法。
［Ｃ１６］  キャリアアグリゲーションを使用したワイヤレス通信ネットワーク中の２次コンポーネントキャリアダウンリンク（ＤＬ）を制御するための装置であって、
キャリアアグリゲーション対応接続の２次コンポーネントキャリア上での基地局から前記モバイルエンティティへのデータ送信に関するモバイルエンティティにおけるリソース制約を示すイベントを検出するための手段と、
前記イベントを検出したことに応答して、前記２次コンポーネントキャリアＤＬの状態を前記基地局にシグナリングすることによって、前記データ送信を制御するための手段とを備える、装置。
［Ｃ１７］  キャリアアグリゲーションを使用したワイヤレス通信ネットワーク中の２次コンポーネントキャリアダウンリンク（ＤＬ）を制御するための装置であって、
キャリアアグリゲーション対応接続の２次コンポーネントキャリア上での基地局から前記モバイルエンティティへのデータ送信に関するモバイルエンティティにおけるリソース制約を示すイベントを検出し、前記イベントを検出したことに応答して、前記２次コンポーネントキャリアＤＬの状態を前記基地局にシグナリングすることによって、前記データ送信を制御するために構成される、少なくとも１つのプロセッサと、
前記少なくとも１つのプロセッサに結合された、データを記憶するためのメモリとを備える、装置。
［Ｃ１８］  前記少なくとも１つのプロセッサがさらに、ＣＰＵプロセッシング制約、受信チェーン制約、バス帯域幅制約、電力制約、または動作温度制約からなる群からリソース制約を選択するために構成される、Ｃ１７に記載の装置。
［Ｃ１９］  前記少なくとも１つのプロセッサがさらに、前記データ送信における実際のエラーを報告するために必要な否定応答（ＮＡＣＫ）の数を超えるより多数のＮＡＣＫを前記データ送信についてシグナリングすることを備える、前記状態をシグナリングすることのために構成される、Ｃ１７に記載の装置。
［Ｃ２０］  前記少なくとも１つのプロセッサがさらに、前記データ送信においてＡＣＫ／ＮＡＣＫ応答を要求する信号を受信したにもかかわらず、前記データ送信に対する確認応答（ＡＣＫ）または否定応答（ＮＡＣＫ）をシグナリングすることを備える、前記状態をシグナリングすることのために構成される、Ｃ１７に記載の装置。
［Ｃ２１］  前記少なくとも１つのプロセッサがさらに、前記データ送信について前記モバイルエンティティにより測定されるものより低いチャネル品質を示す、前記データ送信に対するチャネル品質インジケータをシグナリングすることを備える、前記状態をシグナリングすることのために構成される、Ｃ１７に記載の装置。
［Ｃ２２］  前記少なくとも１つのプロセッサがさらに、前記より低いチャネル品質が０であることを示すことを備える、前記状態をシグナリングすることのために構成される、Ｃ２１に記載の装置。
［Ｃ２３］  前記少なくとも１つのプロセッサがさらに、チャネル測定モジュールのデータ送信アップストリームの品質を劣化させることを備える、前記状態をシグナリングすることのために構成される、Ｃ１７に記載の装置。
［Ｃ２４］  前記少なくとも１つのプロセッサがさらに、前記モバイルエンティティによって前記基地局に提供されるイベントトリガされた測定結果を劣化させることを備える、前記状態をシグナリングすることのために構成される、Ｃ１７に記載の装置。
［Ｃ２５］  前記少なくとも１つのプロセッサがさらに、前記モバイルエンティティのＭＩＭＯ能力未満のＭＩＭＯ能力を示すことを備える、前記状態をシグナリングすることのために構成される、Ｃ１７に記載の装置。
［Ｃ２６］  前記少なくとも１つのプロセッサがさらに、プリコーディングマトリックスインジケータ（ＰＭＩ）またはランクインジケータ（ＲＩ）の少なくとも１つによって前記能力を示すことのために構成される、Ｃ２５に記載の装置。
［Ｃ２７］  前記少なくとも１つのプロセッサがさらに、ページングメッセージを受信することと、前記２次コンポーネントキャリア上でのキャリアアグリゲーションの無効化を要求することによって着信する呼のためのリソースを解放することとを備える、前記イベントを検出することのために構成される、Ｃ１７に記載の装置。
［Ｃ２８］  前記少なくとも１つのプロセッサがさらに、外部への呼を行うための要求を示すユーザ入力を受信することと、前記２次コンポーネントキャリア上でのキャリアアグリゲーションの無効化を要求することによって前記外部への呼のためのリソースを解放することとを備える、前記イベントを検出することのために構成される、Ｃ１７に記載の装置。
［Ｃ２９］  前記少なくとも１つのプロセッサがさらに、前記データ送信のデータレートを監視することのために構成される、Ｃ１７に記載の装置。
［Ｃ３０］  前記少なくとも１つのプロセッサがさらに、定義された範囲または設定点の外側のデータレートを備える前記イベントを、前記監視によって観測することのために構成される、Ｃ２９に記載の装置。
［Ｃ３１］  前記少なくとも１つのプロセッサがさらに、前記定義された範囲または設定点の範囲内に前記データレートを維持することによって前記データ送信を制御することのために構成される、Ｃ３０に記載の装置。
［Ｃ３２］  符号化された命令を保持する非一時的コンピュータ可読媒体を備える、キャリアアグリゲーションを使用したワイヤレス通信ネットワーク中の２次コンポーネントキャリアダウンリンク（ＤＬ）を制御するためのコンピュータプログラム製品であって、
前記命令が、プロセッサによって実行されると、モバイル通信デバイスに、キャリアアグリゲーション対応接続の２次コンポーネントキャリア上での基地局から前記モバイルエンティティへのデータ送信に関するモバイルエンティティにおけるリソース制約を示すイベントを検出させ、前記イベントを検出したことに応答して、前記２次コンポーネントキャリアＤＬの状態を前記基地局にシグナリングすることによって、前記データ送信を制御させる、コンピュータプログラム製品。